(57)【特許請求の範囲】
【請求項１】
利用者を特定する利用者情報を入力させる入力部と、
取引される有価媒体を受入処理する受入口と、
前記受入口より受け入れた有価媒体を識別対象として該識別対象の有価媒体情報を識別する識別部と、
該有価媒体に関する受入情報と前記利用者情報とを関連付けて記憶する記憶部と、
前記識別部の識別結果に基づいて受付許可された有価媒体を確定して収納する確定収納部と、
有価媒体を確定せずに強制的に収納する強制収納部と、
前記強制収納部に強制的に収納された前記有価媒体の少なくとも片面の有価媒体画像データを取得する画像データ取得手段とを備え、
前記記憶部は、
前記有価媒体画像データを前記受入情報として記憶する
有価媒体処理装置。
【請求項２】
前記有価媒体の受入処理時に、
前記識別部の識別結果に基づいて受付許可された有価媒体を前記確定収納部に収納させ、受付拒否された有価媒体を返却する識別受付モードと、
前記受け入れた有価媒体を前記識別部の識別結果に関わらず、前記強制収納部に収納させ、
前記記憶部に前記関連付けされた情報を記憶させる強制収納モードとのいずれか一方に制御する制御手段を備えた
請求項１に記載の有価媒体処理装置。
【請求項３】
前記識別受付モードで受付拒否されて返却された有価媒体があったとき、該返却された有価媒体の再受付時に、前記識別受付モードを実行するか前記強制収納モードを実行するかを選択可能にする選択手段を備えた
請求項２に記載の有価媒体処理装置。
【請求項４】
前記有価媒体の受入処理時に、
前記識別部の識別結果に基づいて受付許可された有価媒体を前記確定収納部に収納させる一方、受付拒否された有価媒体を前記強制収納部に収納させるとともに、前記記憶部に前記関連付けされた情報を記憶させる制御手段を備えた
請求項１に記載の有価媒体処理装置。
【請求項５】
前記有価媒体の種類と枚数とを利用者により入力させる利用者入力手段を備え、
前記記憶部は、
前記強制収納部に強制的に収納される有価媒体に関する少なくとも種類と枚数とを識別した識別結果情報を前記受入情報として記憶する
請求項２、３または４に記載の有価媒体処理装置。
【請求項６】
前記記憶部に前記受入情報として記憶されている前記有価媒体画像データに前記利用者情報を合成させる合成手段を備えた
請求項５に記載の有価媒体処理装置。
【請求項７】
前記有価媒体画像データに、
電子透かし処理する電子透かし手段を備えた
請求項１〜６のいずれか１項に記載の有価媒体処理装置。
【請求項８】
前記強制収納部に強制的に収納された有価媒体に関する前記受入情報と前記利用者情報との関連付けられた情報を表示させて管理者に視認させる表示部を備え、
前記入力部は前記関連付けられた情報に対し、管理者により指示情報を入力許容させる構成をさらに備えた
請求項１〜７のいずれか１項に記載の有価媒体処理装置。
【請求項９】
前記利用者情報は、
日付情報と、利用者本人を特定する特定情報とを備えている
請求項１〜８のいずれか１項に記載の有価媒体処理装置。
【請求項１０】
有価媒体を処理する有価媒体処理装置と、該有価媒体処理装置と通信回線を介して接続した有価媒体管理装置とを備えた有価媒体処理システムであって、
前記有価媒体処理装置には、
利用者を特定する利用者情報を入力させる利用者入力部と、
取引される有価媒体を受入処理する受入口と、
該有価媒体を識別対象として該識別対象の有価媒体情報を識別する識別部と、
前記受入口より受け入れた有価媒体に関する受入情報と前記利用者情報とを関連付けて記憶する記憶部と、
前記識別部の識別結果に基づいて受付許可された有価媒体を確定して収納する確定収納部と、
有価媒体を確定せずに強制的に収納する際に収納する強制収納部と、
前記強制収納部に強制的に収納された前記有価媒体の少なくとも片面の有価媒体画像データを前記受入情報として取得する画像データ取得手段とを備え、
前記有価媒体管理装置には、
前記有価媒体処理装置の記憶部に記憶されている前記強制収納部に強制収納された有価媒体に関する前記有価媒体画像データを含む前記受入情報と前記利用者情報とを関連付けた情報を取得して管理する制御部と、
前記制御部が管理している前記有価媒体に関する前記受入情報と前記利用者情報との関連付けられた情報を表示して管理者に視認させる表示部と、
前記強制収納部に強制的に収納された有価媒体に関する前記関連付けられた情報に対し、管理者により指示情報を入力許容させる管理者入力部とを備えた
有価媒体処理システム。
【発明の詳細な説明】
【技術分野】
【０００１】
この発明は、例えば店舗で売上げた売上金を入金管理する売上金入金機のような有価媒体処理装置に関し、さらに詳しくは損券紙幣であっても確実に入金することが可能な有価媒体処理装置および有価媒体処理システムに関する。
【背景技術】
【０００２】
近年、デパートや小売店等の流通業界では売上金管理効率の向上と現金管理に対する防犯の観点から店舗内に売上金を入金させて管理する売上金入金機が設置されつつある。
【０００３】
この売上金入金機は、例えば紙幣入金時に入金された紙幣を機内の識別部に導いて紙幣の真偽、金種、枚数を識別している。そして、取り扱い可能な紙幣と識別されると、その紙幣を正常紙幣として機内の入金庫に収納処理している。これに対し、偽紙幣と判定されたり識別不能な紙幣と判定されたりすると、入金された紙幣を異常紙幣として利用者に返却し、入金を拒否している。
【０００４】
このような売上金入金機では、偽紙幣や異常紙幣が混入しないように紙幣の真偽判定レベルを高く設定している。このため、紙幣の流通過程で該紙幣にしわが寄ったり汚れたりした損券紙幣の場合は、真紙幣であるにも拘らず識別部で偽紙幣や異常紙幣と誤判定されて返却されることがある。この場合は返却された紙幣を店員が手計数して、その金額を店員が売上金入金機に手入力して対処していた。これにより、手入力した金額は明細票に印字され、該明細票と損券紙幣とを店員が封筒に入れて現金外ボックスに投函していた。
【０００５】
一方、入金された紙幣を識別部で真偽判定し、その結果、偽紙幣や異常紙幣と判定された紙幣が発生した場合に、識別レベル変更手段によって真偽判定レベルを下げるように変更する。この際、識別部で再度紙幣の真偽判定を行って紙幣が真紙幣と識別されると、正常紙幣として装置内部に収納させることができる貨幣処理装置が提案されている（例えば特許文献１参照）。
【０００６】
また、返却された紙幣を係員がチェックして真紙幣と認めると、その紙幣を該装置内部に強制的に収納させる強制収納モードを有しており、係員の操作により強制収納モードに切り替えて、その紙幣を強制的に収納するという紙葉類処理装置が提案されている（例えば特許文献２参照）。
【０００７】
これらの入金方法に従うと、流通過程で傷んだ紙幣を強制的に紙幣入出金機に入金することができるので、紙幣を装置内で安全に管理することができるとされている。
【先行技術文献】
【特許文献】
【０００８】
【特許文献１】特開２００４−２６５２８８号公報
【特許文献２】特開２０００−３０１０６号公報
【発明の概要】
【発明が解決しようとする課題】
【０００９】
このような技術によれば、封筒入金された紙幣の場合は、管理者が売上金入金機の紙幣を精査する際に、この売上金入金機内の現金ボックスと合わせて封筒に入れて入金された現金外ボックスからも回収し、封筒毎に入金者、明細票、同封された紙幣を管理者が手作業で確認する必要があり、管理者にとって非常に手間の掛かる作業が発生していた。
【００１０】
一方、特許文献１の場合は、真偽判定レベルを調整できるものの紙幣の損傷度合いによっては真偽判定レベルを大幅に下げる必要がある。さらに、真偽判定レベルを複数段階に設定して対処したとしても調整限界が生じ、最終的に返却されてしまうおそれがある。
【００１１】
また、特許文献２の場合は、返却された紙幣を係員がチェックして真紙幣と認めた場合のみ強制入金が可能となる。この際、金融機関の窓口端末のように係員が使用する装置であればよいが、売上金入金機のような場合は、紙幣の真偽判定をサポートする係員がその場に常駐しておらず、真偽判定は店舗の店員などの利用者自身の自己判断に委ねざるを得ず、実際の運用上からみて現実的ではない。
【００１２】
この発明は上述の問題に鑑み、有価媒体を受け入れた際に、受け入れた有価媒体に関する履歴情報が残る形で確実に収納させることができる利用者および管理者にとって使い勝手の良い有価媒体処理装置および有価媒体処理システムを提供することを目的とする。
【課題を解決するための手段】
【００１３】
この発明は、利用者を特定する利用者情報を入力させる入力部と、取引される有価媒体を受入処理する受入口と、前記受入口より受け入れた有価媒体を識別対象として該識別対象の有価媒体情報を識別する識別部と、該有価媒体に関する受入情報と前記利用者情報とを関連付けて記憶する記憶部と、前記識別部の識別結果に基づいて受付許可された有価媒体を確定して収納する確定収納部と、有価媒体を確定せずに強制的に収納する強制収納部と、前記強制収納部に強制的に収納された前記有価媒体の少なくとも片面の有価媒体画像データを取得する画像データ取得手段とを備え、前記記憶部は、前記有価媒体画像データを前記受入情報として記憶する有価媒体処理装置であることを特徴とする。
【発明の効果】
【００１４】
この発明によれば、有価媒体を受け入れた際に、受け入れた有価媒体に関する履歴情報が残る形で確実に収納させることができる利用者および管理者にとって使い勝手の良い有価媒体処理装置および有価媒体処理システムを提供することができる。
【図面の簡単な説明】
【００１５】
【図１】実施例１の紙幣入金機の外観斜視図。
【図２】実施例１の紙幣入金機の内部構造を示す概略構成図。
【図３】実施例１の紙幣入金機の制御部を示す制御ブロック図。
【図４】実施例１の表示操作部に表示される入金受付画面を示す表示図。
【図５】実施例１の表示操作部に表示される選択画面を示す表示図。
【図６】実施例１の表示操作部に表示される入金開始画面を示す表示図。
【図７】実施例１の表示操作部に表示される返却された紙幣の詳細な画面の一例を示す表示図。
【図８】実施例１の表示操作部に表示される強制入金モードの詳細な表示画面の一例を示す表示図。
【図９】実施例１の入金受付開始時の処理動作を示すフローチャート。
【図１０】実施例１の通常入金される識別受付モードの入金処理動作を示すフローチャート。
【図１１】実施例１の強制入金モードの入金処理動作を示すフローチャート。
【図１２】実施例１の図１１に続くフローチャート。
【図１３】実施例１の強制入金取引終了後のデータ処理手順を示すフローチャート。
【図１４】実施例１の表示操作部に表示される強制入金取引の案内画面を示す表示図。
【図１５】実施例１の紙幣入金機と上位装置とを通信接続した状態を示す紙幣処理システムの概略説明図。
【図１６】実施例１の上位装置に表示される取引別の一覧表示画面を示す表示図。
【図１７】実施例１の上位装置に表示される精査に関する表示画面の一例を示す表示図。
【図１８】実施例１の紙幣仕分け機と上位装置とを通信接続した状態を示す紙幣仕分け処理システムの概略説明図。
【図１９】実施例２の強制入金モードの入金処理動作を示すフローチャート。
【図２０】実施例２の図１９に続くフローチャート。
【図２１】実施例２におけるＰＯＳシステムを利用した概略構成図。
【発明を実施するための形態】
【００１６】
この発明の一実施例を以下図面に基づいて説明する。
【実施例１】
【００１７】
図１は紙幣入金機１の外観を示す図であって、デパートや小売店等の店舗のバックヤードに設置される。この紙幣入金機１を利用する店員（以下利用者と称す）は表示操作部２４に表示される入金に関する情報を確認するとともに、紙幣入金機１の入金取引に必要な操作を該表示操作部２４の表示画面にタッチ入力させて行う。紙幣入金機１には紙幣処理部２が内蔵されており、上部前面には紙幣の入金口１０と、紙幣の返却口１２と、カード挿入口１８が備えられている。
【００１８】
図２は紙幣入金機１の内部構成を示している。  
この紙幣入金機１は内部に搭載されている紙幣処理部２によって紙幣Ｓの繰出し、搬送、収納等のハンドリングを行う。この紙幣処理部２には、入金口１０、識別部１１、返却口１２、振分ゲート１３、強制入金庫３、確定入金庫４Ａ〜４Ｄが内蔵されている。
【００１９】
入金口１０は取引される紙幣を受入処理する受入口として備えられている。通常はシャッタで閉じられており、入金取引時に開閉操作される。
【００２０】
識別部１１は入金口１０の内方に連通する紙幣搬送路上に備えられている。この識別部１１には、紙幣Ｓの枚数を検出する枚数検知センサ１４や紙幣Ｓの真偽や金種を判別する判別検知センサ１６、紙幣Ｓの画像を取り込むカメラ１５などが内蔵されており、入金された紙幣Ｓが正常であるか異常であるかを複数の判定項目に基づいて識別するとともに、紙幣Ｓが搬送される際にこれらのセンサ１４，１６およびカメラ１５によって紙幣の状態が識別情報として取り込まれる。ここで取り込まれた識別情報は、後述する主制御部２０へ伝達され、予め定められた手法で紙幣入金機１の運用に活用される。
【００２１】
返却口１２は前記入金口１０の近傍に備えられており、識別部１１で偽紙幣や識別不能な紙幣と識別された紙幣を返却処理する。
【００２２】
この紙幣入金機１は上部に入金口１０、識別部１１、返却口１２を備えて紙幣の出入処理部として扱われ、下部に強制入金庫３と確定入金庫４Ａ〜４Ｄを備えて紙幣の収納処理部として扱われる。そして、搬送路の各搬送切換部分に紙幣振分用の振分ゲート１３を配設している。
【００２３】
強制入金庫３は強制収納部として受け入れた紙幣Ｓを識別部１１の識別結果に関わらず、該紙幣を確定しないまま強制的に収納させるものである。また、確定入金庫４Ａ〜４Ｄは確定収納部として識別部１１の識別結果に基づいて正常紙幣であると確定された紙幣を収納させるものである。
【００２４】
なお、紙幣処理部２は入金専用に処理する運用上、一時保留部を省略した構成が可能となり、該紙幣入金機１の簡素化を図ることが可能となる。このような構成では一時保留部が構成されていないが、必要な場合には確定入金庫４Ａ〜４Ｄのうち、一つを一時保留部として利用することも可能であり、もしくは別途一時保留部を搭載してもよい。
【００２５】
図３は紙幣入金機１の制御構成を示したブロック図である。  
このブロック図において、２０は紙幣入金機１の各部を制御する主制御部である。２１は主制御部２０の動作プログラム等を記録したＲＯＭ、２２は主制御部２０が各部を制御する制御データを読み書き可能に記録するＲＡＭである。
【００２６】
紙幣処理部２の内部には上述したように識別部１１、振分ゲート１３、強制入金庫３、確定入金庫４Ａ〜４Ｄのほかに入金口１０の紙幣Ｓの有無を検知する入金口紙幣検知センサ１７が搭載されている。
【００２７】
さらに、紙幣入金機１にはカード挿入口１８の内方に連通してカード読取部２３が備えられている。このカード読取部２３で利用者が入金する際に自身の口座番号等を記録したカードを読み取る。さらに、利用者に必要な情報を表示する表示機能とタッチ入力機能を備えて利用者が入金操作するのに必要な情報を表示させ、また入金操作に必要な操作をタッチ入力させる場合に使用する表示と入力とを兼ねた表示操作部２４が備えられている。また、後述する上位装置１５１（図１５参照）との間で情報の送受信を行う通信部２５が備えられている。
【００２８】
２６はＲＡＭから構成される情報格納部であって、所定の領域に、紙幣画像情報２７と、識別結果に基づき強制入金時の取引毎のステータス情報を示す取引管理情報２８とを格納している。
【００２９】
前記主制御部２０は紙幣の受入処理時に利用者を特定する利用者情報と入金口１０より受け入れた紙幣Ｓに関する受入情報とを関連付けた関連情報を記憶させるとともに、紙幣Ｓを該装置内部の入金庫３，４Ａ〜４Ｄに収納させる制御機能を有している。
【００３０】
ここで、利用者情報としては、利用者本人を特定するＩＤカードをカード挿入口１８に挿入してカード読取部２３が読み取ることで、そのＩＤカードから利用者本人を特定することができる。このほか、表示操作部２４により利用者本人を特定する必要情報を入力させてもよい。
【００３１】
この際、日付情報と、利用者本人を特定した情報を利用者情報として加えた場合は、より正確となり誤りなく利用者を特定できる。また、日付情報やＩＤ情報以外にも時間や口座番号等の情報を用いてもよい。この際は、同一の利用者であっても複数の取引に分けて管理することが可能になる。
【００３２】
さらに、受入情報は入金口紙幣検知センサ１７の検知信号により紙幣が受け入れられたことを確認する。また、識別部１１で紙幣の真偽、金種、枚数との識別結果情報により受け入れられた紙幣の状態を１枚ずつ正確に識別する。
【００３３】
関連情報はＲＯＭ２１に格納されたプログラムに沿って、利用者情報と受入情報とを関連付けてＲＡＭ２２に記憶させることにより取引時の履歴が得られ、この関連情報に基づく取引履歴を入金運用時の証拠として管理することができる。
【００３４】
このような入金機能を有することで、紙幣受入時の取引履歴を確保して紙幣Ｓを装置内部の強制入金庫３または確定入金庫４Ａ〜４Ｄに受け入れさせることができる。このため、装置内に履歴の残る形で収納させることができる。
【００３５】
さらに、主制御部２０は紙幣の受入処理時に、識別部１１の識別結果に基づいて受付許可された紙幣を前記確定入金庫４Ａ〜４Ｄに収納させ、受付拒否された紙幣を返却口１２に返却する識別受付モードと、受け入れた紙幣を識別部１１の識別結果に関わらず前記強制入金庫３に収納させ、ＲＡＭ２２に前記関連付けされた関連情報を記憶させる強制収納モードとのいずれか一方に制御する制御機能を備えている。
【００３６】
前記識別受付モードは識別部１１で紙幣を受け付けて識別した際に、適正に読み取られた正常紙幣であることを確定すると取込処理し、異常紙幣があれば返却するという通常の入金処理を実行するものである（以下、通常入金モードと称す）。
【００３７】
前記強制収納モードは受け入れた紙幣を返却することなく、必ず装置内部に収納処理させる強制的な収納処理動作を実行するものを言う。
【００３８】
主制御部２０は上述のような２通りのモード選択機能を有することで、正常な紙幣を受付許可して確定入金庫４Ａ〜４Ｄに収納させる。この際、仮に流通過程で傷んだ紙幣が混入していると、通常入金モードの場合であれば識別部１１が仮に異常紙幣であると誤識別して返却しても、返却した紙幣に対しては強制収納モードにして再度強制収納させることで、返却された紙幣を確実に装置内に収納し、装置内で全ての紙幣を安全に管理することが可能となる。
【００３９】
従って、例えば、封筒入金方式など、別の運用手順に頼る必要がなくなり、取引運用手順が簡易化する。また、返却された未確定の紙幣を強制入金庫３へ収納することで、正常と識別された紙幣と分離して収納することができ、紙幣の精査の際に正常紙幣と異常紙幣が混在するのを防止することができる。
【００４０】
また、返却された少数の未確定紙幣だけ関連付けされた情報を記憶して管理するようにすればよく、全ての紙幣のデータを記憶しないため、記憶データ量が少なくて済む。さらに、表示操作部２４を用いて強制収納させた金種と枚数を利用者入力手段として入力指示させることも可能である。つまり、返却された紙幣の再受付時に、その返却された紙幣をどの金種が何枚と指定入力させて利用者が指示した情報を利用者情報の一部として記憶させることもできる。
【００４１】
なお、この表示操作部２４に対しては通常入金モードにおいて、入金時の入金枚数や金種を入力させて取引照合を確保するようにするのが好ましい。
【００４２】
さらに、主制御部２０には前記識別受付モードにより受付拒否されて返却された紙幣があったとき、該返却された紙幣の再受付時に、前記識別受付モードを実行するか前記強制収納モードを実行するかを利用者により選択可能にする選択手段としての機能を有している。
【００４３】
この選択手段を備えることにより、正常でないと判定されて返却された紙幣に対し、利用者が該紙幣を装置内部に強制的に収納させるか否かを選択させることができる。
【００４４】
図４は表示操作部２４で入金案内する入金受付画面４１を示している。この入金受付画面４１は入金受付ボタン４２を表示しており、この入金受付ボタン４２が押下されることで前記通常入金モードの入金取引が実行される。
【００４５】
図５は表示操作部２４で取引モードを選択入力させる選択入力画面５１を示している。この選択入力画面５１は前記入金受付画面４１で実行される通常入金モードを実行した際に、受付拒否されて返却された紙幣があったとき、該返却された紙幣の再受付時に、前記識別受付モードを実行するか前記強制収納モードを実行するかを利用者により選択可能にする画面を表わしている。
【００４６】
５２は通常入金ボタンであり、入金された紙幣Ｓが正常であるか異常であるかを複数の判定項目に基づいて識別する通常入金モードを選択する場合に押下される。５３は強制入金ボタンであり、通常入金の結果、返却された紙幣に対して強制入金モードを選択する場合に押下される。
【００４７】
図６は表示操作部２４での通常入金モード選択後の入金開始画面６１である。
【００４８】
６２は開始／終了ボタンであり、入金口１０に紙幣Ｓを装填後、入金処理を開始あるいは終了する場合に押下される。６３は表示入力領域であり、通常入金モード時には入金紙幣の金種、枚数、合計金額を表示する表示領域となり、強制入金モード時には強制入金紙幣の金種、枚数、合計金額を利用者が入力する入力領域となる表示入力機能を有している。なお、通常入金モードであっても、利用者により金種や枚数等の入金情報を入力させて利用者との関連情報を増やして照合情報をより一層高めるようにしてもよい。
【００４９】
また、利用者は詳細ボタン６４により、入金された紙幣Ｓが識別部１１を通過する際に取得した紙幣の識別情報を詳細に表示させることができる。
【００５０】
図７は通常入金モード時に詳細ボタン６４が押下されることにより表示される紙幣詳細画面７１の一例を表わしている。  
この紙幣詳細画面７１は識別部１１で取得された紙幣の表裏画像７２、紙幣の画像から記番号部分のみを切り出した記番号拡大画像７３、記番号画像から識別部１１が文字認識を行うことにより得られる記番号認識結果７４を表示する。
【００５１】
記番号拡大画像７３と記番号認識結果７４を並べて表示することで、利用者は自身が入金した紙幣について誤りなく記番号が認識されていることを目視にて確認することができる。また、記番号の一部分が汚れ付着等のため認識できない場合にも、記番号拡大画像７３を表示させることにより認識できなかった原因が明確となり、また、記番号拡大画像７３をログとして保存することで認識結果だけでなく画像データを参照し、当該取引終了後にも誤りなく入金紙幣と利用者を関連付けることが可能となる。この際、表裏画像７２の画像データは紙幣全体が分かる程度の解像度に抑えることで、データ容量を低減させることが可能となる。７５は項目切替ボタン、７６は紙幣切替ボタンである。
【００５２】
一方、図８は強制入金モード時に詳細ボタン６４の押下により表示される返却紙幣詳細画面８１の一例を示す。返却紙幣詳細画面８１は識別部１１により取得された紙幣の表裏画像８２、当該強制入金取引の取引管理情報の表示８４、強制入金処理を完了させるための確認ボタン８５、仮想の封筒８３を表示する。８６は画像切替用のスクロールボタン、８７は落書き、８８は紙幣の破損部分を示している。
【００５３】
このように表示すれば、識別部１１の識別結果によらず、当該取引の全ての画像を利用者がその場で確認することができる。また、識別制限を受けた強制入金時においても利用者は一目で把握することができるため該利用者の納得性を得ることができる。つまり、強制入金モードを選択したときの強制収納される返却紙幣のデータを利用者に明瞭に確認させることができる機能を有している。
【００５４】
図９〜図１３は紙幣入金時の受入処理手順を示したフローチャートであって各ステップは主制御部２０が実行する処理である。  
図９は入金受付開始時のフローチャートである。通常、紙幣入金機１は図４に示すように、表示操作部２４に入金受付画面４１が表示されている。そして、入金受付画面４１（ステップＳ１）の入金受付ボタン４２が押されるのを待機している。この入金受付ボタン４２が利用者により押されると（ステップＳ２）、入金口１０に受け付けられた紙幣は該入金口１０より内部に取り込まれ、識別部１１で識別される（ステップＳ３）。このとき、識別不能な紙幣があれば（ステップＳ４）、その未識別の紙幣を返却口に返却する（ステップＳ５）。
【００５５】
この返却された紙幣に対し、再受付する画面を表示操作部２４に表示する（図５参照）。そして、通常入金モードか強制入金モードかを選択させる（ステップＳ６）。通常入金モードが選択された場合は、前記ステップＳ３以降の処理が実行される（ステップＳ３〜ステップＳ６）。
【００５６】
一方、強制入金モードが選択された場合は、その返却された紙幣を強制入金させて全て紙幣を取り込ませる。これにより、一入金取引が終了する。なお、ステップＳ４で識別部１１が識別した際に識別不能な紙幣がなければ（ステップＳ４：ＮＯ）、全て正常紙幣と判定して取引終了する。また、ステップＳ７およびステップＳ８：ＮＯで一定時間経過しても通常入金モードも強制入金モードも選択されなければ、返却紙幣の入金処理を中止したと判定して取引終了する（ステップＳ７：ＮＯ、ステップＳ８：ＮＯ）。
【００５７】
図１０は通常入金モードでの入金処理手順を示したフローチャートである。  
利用者が通常入金ボタン５２を選択した後、入金口１０に紙幣Ｓを投入して開始／終了ボタン６２を押すと、主制御部２０は入金口紙幣検知センサ１７の検知出力により入金口１０に紙幣Ｓが有り、かつ紙幣Ｓの入金指示があったと判断し（ステップＳ１１：ＹＥＳ）、紙幣Ｓを繰出して識別部１１へ搬送する（ステップＳ１２）。識別部１１で真偽判定や金種判定等の複数の判定項目に基づいて紙幣Ｓが正常であるか異常であるかを識別する（ステップＳ１３）。
【００５８】
合わせて、識別部１１はカメラ１５により紙幣Ｓの表裏画像を取得する（ステップＳ１４）。主制御部２０は識別部１１によって紙幣Ｓが正常と識別されたか否かを確認し（ステップＳ１５）、正常と識別されていると（ステップＳ１５：ＹＥＳ）、紙幣Ｓを識別部１１から指定された確定入金庫４Ａ〜４Ｄへ搬送する（ステップＳ１６）。
【００５９】
搬送後は、入金口１０の紙幣Ｓが全てなくなったか否かを判定し（ステップＳ１７）、入金口１０に未だ紙幣Ｓがあれば（ステップＳ１７：ＮＯ）、上述したステップＳ１２以降の処理を実行する。
【００６０】
一方、ステップＳ１５において、識別部１１によって紙幣Ｓが異常であると識別されていると（ステップＳ１５：ＮＯ）、紙幣Ｓを識別部１１から返却口１２へ搬送して返却する（ステップＳ１８）。
【００６１】
このように識別部１１によって異常と識別された紙幣Ｓは、複数の判定項目のうち少なくとも１つの項目を満足しなかった紙幣であって、例えば紙幣入金機１で取り扱い不可能な金種の紙幣や真紙幣であるが、しわが寄っていたり汚れが付いていたりというように傷んだ状態であるために、識別部１１では真紙幣と判定できなかった紙幣も含まれている。
【００６２】
その後、主制御部２０は、入金口１０の紙幣Ｓが全てなくなったか否かを判定し（ステップＳ１９）、入金口１０に未だ紙幣Ｓがあれば（ステップＳ１９：ＮＯ）、ステップＳ１２へ移行して、入金口１０から紙幣Ｓを繰出して識別部１１へ搬送し、上述したように識別部１１で紙幣Ｓを識別する。これに対し、入金口１０の紙幣Ｓが全てなくなると（ステップＳ１７：ＹＥＳ,ステップＳ１９：ＹＥＳ）、繰出しを終了し、表示入力領域６３に紙幣Ｓの金種、枚数、合計金額を表示する。
【００６３】
なお、利用者は返却口１２に搬送された紙幣Ｓを入金口１０に再度投入し、開始／終了ボタン６２を再度押してもよい。何度、通常入金モードにて入金処理を行っても返却口１２へ返却される紙幣Ｓについては、次に示す図１１あるいは図１２に示す強制入金モードにて入金処理を行う。
【００６４】
図１１および図１２は強制入金モードの入金処理手順を示すフローチャートである。  
利用者は強制入金ボタン５３を選択した後、表示入力領域６３に強制入金にて入金する金種情報および枚数情報を入力し（ステップＳ２１）、入金口１０に紙幣Ｓを投入して開始／終了ボタン６２を押すと、主制御部２０は入金口紙幣検知センサ１７の検知出力により入金口１０に紙幣Ｓが有り、かつ紙幣Ｓの入金指示があったと判断して（ステップＳ２２：ＹＥＳ）、紙幣Ｓを入金口１０から繰出して識別部１１へ搬送する（ステップＳ２３）。
【００６５】
識別部１１では枚数検知センサ１４と判別検知センサ１６により枚数と金種を識別する（ステップＳ２４）。合わせて、識別部１１はカメラ１５により紙幣Ｓの表裏画像を取得する（ステップＳ２５）。その後、紙幣Ｓは強制入金庫３に収納される（ステップＳ２６）。
【００６６】
収納後、入金口１０の紙幣Ｓが全てなくなったか否かを判定し（ステップＳ２７）、入金口１０に未だ紙幣Ｓがあれば（ステップＳ２７：ＮＯ）、ステップＳ２３へ移行して、入金口１０から紙幣Ｓを繰出して識別部１１へ搬送し、上述したように識別部１１で紙幣Ｓの枚数と金種を識別する。入金口１０の紙幣Ｓが全てなくなると（ステップＳ２７：ＹＥＳ）、繰出しを終了する。
【００６７】
繰出された紙幣に対してはステップＳ２８において、主制御部２０が当該強制入金処理での枚数が全て識別されたか否かを判定する。枚数が確定しない場合（ステップＳ２８：ＮＯ）は当該強制入金取引の取引管理情報２８を「３」（要確認３）と設定し（ステップＳ２２）、強制入金を終了する。利用者は上述したように返却紙幣詳細画面８１にて強制入金した紙幣の表裏画像８２と取引管理情報の表示８４にて取引ステータスが「３」（要確認３）であることを確認することができる。
【００６８】
なお、枚数が確定しない場合とは、入金口１０からの繰出し時に連れ出しや２枚出し等が発生し、識別部１１にて枚数が認識できない場合を含む。
【００６９】
一方、ステップＳ２８において、枚数が確定した場合（ステップＳ２８：ＹＥＳ）、次に当該強制入金取引内の全ての紙幣Ｓについて金種が識別されたか否かを判定する（ステップＳ２９）。全ての金種が確定しない場合（ステップＳ２９：ＮＯ）は当該強制入金取引の取引管理情報２８を「２」（要確認２）と設定し（ステップＳ２３）、強制入金を終了する。
【００７０】
全ての金種が確定し（ステップＳ２９：ＹＥＳ）、識別された枚数情報と金種情報が利用者から入力された枚数情報と金種情報と一致するか否かを判定し（ステップＳ３０）、一致した場合（ステップＳ３０：ＹＥＳ）、当該強制入金取引の取引管理情報２８を「１」（要確認１）と設定し（ステップＳ３１）、逆に、一致しなかった場合（ステップＳ３０：ＮＯ）、当該強制入金取引の取引管理情報２８を「２」（要確認２）と設定し（ステップＳ３３）、それぞれ強制入金を終了する。
【００７１】
以上の手順によると、流通過程で傷んだ紙幣であっても利用者は一旦装置内に全ての現金を収納させることができる。また、紙幣入金機１の管理者が強制入金庫３に収納された取引について画像データ上から各強制入金取引の有効性を精査する際には、取引管理情報２８を使用することで、取引管理情報２８が「２」（要確認２）、「３」（要確認３）の取引についてのみ注意深く取引データを確認すればよくスムーズかつ効率的に精査を進めることができる。
【００７２】
さらに、管理者が強制入金取引の管理手間を低減させるには、強制入金時に識別部１１で紙幣枚数が識別できない場合、返却口１２へ一旦返却してもよい。
【００７３】
さらに、図１２において、利用者は選択入力画面５１で強制入金ボタン５３（図５参照）を選択した後、表示入力領域６３に強制入金にて入金する金種情報および枚数情報を入力し（ステップＳ４０）、入金口１０に紙幣Ｓを投入して開始／終了ボタン６２を押すと、主制御部２０は入金口紙幣検知センサ１７の検知出力により入金口１０に紙幣Ｓが有り、かつ紙幣Ｓの入金指示があったと判断し（ステップＳ４１：ＹＥＳ）、紙幣Ｓを繰出して識別部１１へ搬送する（ステップＳ４２）。
【００７４】
識別部１１では枚数検知センサ１４と判別検知センサ１６により枚数と金種を識別する（ステップＳ４３）。合わせて、識別部１１はカメラ１５により紙幣Ｓの表裏画像を取得する（ステップＳ４４）。ここで、主制御部２０は枚数が識別されたか否かを判定する（ステップＳ４５）。枚数が確定しない場合は（ステップＳ４５：ＮＯ）、紙幣Ｓを識別部１１から返却口１２へ搬送して返却する（ステップＳ５２）。
【００７５】
返却後、入金口１０の紙幣Ｓが全てなくなったか否かを判定し（ステップＳ５３）、入金口１０に未だ紙幣Ｓがあれば（ステップＳ５３：ＮＯ）、ステップＳ４２へ移行して、入金口１０から紙幣Ｓを繰出して識別部１１へ搬送し、上述したように識別部１１で紙幣Ｓの枚数と金種を識別する。入金口１０の紙幣Ｓが全てなくなると（ステップＳ５３：ＹＥＳ）、入金処理を終了する。なお、利用者は返却口１２に搬送された紙幣Ｓを入金口１０に再度投入し、開始／終了ボタン６２を再度押してもよい。
【００７６】
一方、識別部１１にて枚数が確定した場合（ステップＳ４５：ＹＥＳ）、紙幣Ｓは強制入金庫３に収納される（ステップＳ４６）。収納後、入金口１０の紙幣Ｓが全てなくなったか否かを判定し（ステップＳ４７）、入金口１０に未だ紙幣Ｓがあれば（ステップＳ４７：ＮＯ）、ステップＳ４２へ移行して、入金口１０から紙幣Ｓを繰出して識別部１１へ搬送し、上述したように識別部１１で紙幣Ｓの枚数と金種を識別する。
【００７７】
入金口１０の紙幣Ｓが全てなくなると（ステップＳ４７：ＹＥＳ）、繰出しを終了する。次に、ステップＳ４８において、当該強制入金取引内の全ての紙幣Ｓについて金種が識別されたか否かを判定する。全ての金種が確定しない場合（ステップＳ４８：ＮＯ）は当該強制入金取引の取引管理情報２８を「２」（要確認２）と設定し（ステップＳ５１）、強制入金を終了する。
【００７８】
全ての金種が確定し（ステップＳ４８：ＹＥＳ）、識別された枚数情報と金種情報が利用者から入力された枚数情報と金種情報と一致するか否かを判定し（ステップＳ４９）、一致した場合（ステップＳ４９：ＹＥＳ）、当該強制入金取引の取引管理情報２８を「１」（要確認１）と設定し（ステップＳ５０）、逆に、一致しなかった場合（ステップＳ４９：ＮＯ）、当該強制入金取引の取引管理情報２８を「２」（要確認２）と設定し（ステップＳ５１）、それぞれ強制入金を終了する。
【００７９】
以上の手順によると、強制入金庫内の紙幣は少なくとも枚数が確定しており、管理者は画像データ上から特に金種に関する情報に注力して精査すればよく、管理手間を軽減させることができる。
【００８０】
また、図１３に強制入金取引終了後のデータ処理手順のフローチャートを示す。強制入金が終了した後、識別部１１により取得した紙幣の表裏画像と利用者の口座番号、利用した紙幣入金機１の端末番号、日付等の利用者情報を関連付け、強制入金取引毎に取引データを作成する（ステップＳ６１）。
【００８１】
関連付ける方法としては、視認性を保つため紙幣画像上の記番号や肖像画を避けた背景部分に利用者情報を上書きすることで利用者情報付きの画像データとすることができる。具体的には、強制的に収納された紙幣の少なくとも片面の紙幣画像データを画像データ取得手段としてＣＣＤカメラ等の鮮明に撮影可能なカメラ１５が取得し、そのカメラ１５で取得した前記紙幣画像データを紙幣の受入情報として記憶するものである。
【００８２】
これにより、どんな紙幣であっても、入金された紙幣の画像データを取得することで、証拠としての履歴を残すことができるだけでなく、強制入金庫３内の紙幣が、精査時に誰によって入金されたものであるかを明確にすることが可能となる。
【００８３】
あるいは利用者情報をテキストデータとして保存し、テキストデータと紙幣画像データとを一括りのデータとして管理してもよい。すなわち、テキストデータと紙幣画像データとを合成させてもよい。この際、改ざん防止を図って利用者情報を画像データに変換し、該変換した画像データを前記紙幣画像データに合成させるとよい。この合成に際しては合成手段としての主制御部２０により合成させることができる（図１４参照）。これにより、関連付けられた複数のファイルを開くのではなく、一つの画像データにて全ての情報が含まれている。これにより、管理上も都合がよいだけでなく、視認性が高められる。
【００８４】
さらに、取引データに電子透かしを付与することで改ざん防止の処理を行うようにしてもよい（ステップＳ６２）。この際は、紙幣画像データに電子情報を埋め込むことで改ざん防止が可能となり、画像データの信頼性および証拠性を一層高めることが可能となる。電子透かし以外にも取引データ毎にパスワードを設定する方法でもよい。
【００８５】
以上の手順によると、利用者が行った強制入金取引の履歴を確実に残すことができるとともに、利用者が強制入金処理を行った後、管理者が強制入金取引の精査を行うまでの間に取引データの改ざんが行われていない保証となり、信頼性のある取引成立した確かなデータとして利用者および管理者が利用できる。すなわち、従来の封筒入金の運用に代わる入金手段として取引履歴を確保して取引できるので、特に利用者は不安がなくなり心理的な障壁が解消される。
【００８６】
さらに、利用者が強制入金の取引データ処理を紙幣入金機１の表示操作部２４で視覚的に確認する手段として、図１４に強制入金取引時の動画表示による案内画面の一例を示す。  
１４２は封筒を示し、利用者の口座番号、利用した紙幣入金機１の端末番号、日付を含む利用者情報が印字されている。１４３は封筒内の紙幣画像を再度確認する際に使用する内容確認ボタン、１４４は強制入金取引を完了させる完了ボタンである。
【００８７】
図８にも示したように、強制入金取引の返却紙幣詳細画面８１で利用者は紙幣の表裏画像８２を確認し、確認ボタン８５を押すと、表裏画像８２は画面上の仮想の封筒８３に吸い込まれるように装填される。その後、図１４に示す仮想の封筒１４２上に利用者情報が印字されたかのように上書きする。
【００８８】
内容確認ボタン１４３を押すと、再度、返却紙幣詳細画面８１が表示され、中身の紙幣画像を確認することができる。このような表示切替を可能にすることで利用者はあたかも今までの封筒入金の運用と同じように、利用者の紙幣が封筒内に収められており、かつ受入情報と利用者情報とが関連付けられていることが直感的に理解することができる。
【００８９】
完了ボタン１４４を押すと、画面１４５、１４７に示すように印字された封筒１４２が仮想の金庫１４６に投函される様子が動画で表示される。これにより、利用者の強制入金紙幣がデータ上も紙幣入金機１で確かに管理されていることが視覚的に表現されて理解し易くなる。
【００９０】
以上述べた実施形態においては、利用者が紙幣入金機１の表示操作部２４を操作して、紙幣入金機１に直接指示を行う場合を例に挙げた。これに対し、紙幣入金機１に記憶されている情報を表示させて管理者に視認させることにより電子データ上で間接的に精査する実施形態を次に説明する。
【００９１】
この紙幣の精査に際しては、管理者が紙幣入金機１の表示操作部２４を直接操作して強制入金取引のステータス情報を確認、精査してもよいし、図１５に示すように紙幣入金機１を、通信回線１５８を介して有価媒体管理装置としての上位装置１５１と接続し、管理者が上位装置１５１を操作して、該上位装置１５１から強制入金取引された紙幣入金機１のステータス情報を確認、精査するようにしてもよい。
【００９２】
前記管理者が表示操作部２４を用いて強制入金取引のステータス情報を確認、精査する際、利用者と管理者とで単一の表示操作部２４を使い分けて表示するように表示内容を適宜利用者用と管理者用とに切り替えることで実現できる。また、前記表示操作部２４とは別に、該紙幣入金機１の例えば背面扉の内面に管理者専用の表示操作部を備えて管理するように構成してもよい。
【００９３】
図１５は既述した紙幣入金機１と上位装置１５１とを接続して構成される紙幣処理システムの一例を示している。ここに用いられる紙幣入金機１は上述したように、利用者を特定する利用者情報を入力させる利用者入力部としてのカード読取部２３と、取引される紙幣を受入処理する入金口１０と、紙幣を識別対象として該識別対象の紙幣情報を識別する識別部１１と、入金口１０より受け入れた紙幣に関する受入情報と前記利用者情報とを関連付けて記憶する記憶部としてのＲＡＭ２２と、識別部１１の識別結果に基づいて受付許可された紙幣を該紙幣入金機１の内部に確定して収納する確定収納部４Ａ〜４Ｄと、入金口１０より入金された紙幣を該紙幣入金機１の内部に確定せずに強制的に収納する強制入金庫３と、該強制入金庫３に強制的に収納された紙幣の少なくとも片面の紙幣画像データを取得するカメラ１５とを備えている。
【００９４】
一方、上位装置１５１には、強制入金庫３に強制収納された紙幣に関する紙幣画像データを含む受入情報と利用者情報とを関連付けた情報を取得して管理する制御部１５２が備えられている。この制御部１５２は通信部１５３を介して紙幣入金機１と接続されており、ＲＯＭ１５４に格納されたプログラムに沿って入金取引されたデータを制御し、その制御データをＲＡＭ１５５で読出し可能に記憶している。
【００９５】
そして、該制御部１５２が管理している紙幣の紙幣画像データを表示して管理者に視認させる表示部１５６と、強制入金庫３に強制的に収納された紙幣に関する受入情報に管理者による指示情報を入力許容させる管理者入力部１５７を備えている。この上位装置１５１は例えば紙幣の画像を液晶表示する表示部１５６とキーボード等の管理者入力部１５７を備えたパーソナルコンピュータで構成することができる。
【００９６】
なお、上位装置１５１には多数台の紙幣入金機１を遠隔監視できるように通信接続されており、この上位装置１５１側から管理者が任意に遠隔位置の紙幣入金機１の精査を実行できるようになっている。
【００９７】
このように上位装置１５１には紙幣入金機１のＲＡＭ２２から取得した情報を管理者に視認させる表示部１５６と管理者により指示される指示情報を入力操作させる入力部としての管理者入力部１５７を備えている。ここで入力される指示情報としては、例えば後述する図１７では入金取引を保留させるか、完了させるかの指示情報に該当し、保留ボタン１７６または完了ボタン１７７が押下されることにより操作される。
【００９８】
上述のような構成としたことで、管理者にとって紙幣画像データは直感的で分かり易い強制収納取引の履歴情報となり、管理者は精査の際に、収納部の紙幣を確認するのではなく、紙幣画像データ上で金種や枚数の識別結果に基づき、識別できなかった項目にのみ注意して目視確認すれば、紙幣入金機１に直に携わらなくても正確で容易に精査することができる。
【００９９】
このため、確認作業の効率がよく、画像データ主体の運用が実現できることから、例えば集中管理センタのような遠隔施設から複数の装置を対象とした精査作業の実現が可能となる。
【０１００】
さらに、全て画像データ上で管理できるので上位装置１５１から管理者が識別したり、必要情報を指示したりすることができる。また、識別不明な紙幣に対して手作業によらず、画像上で能率よく処理できる。
【０１０１】
ことに、紙幣入金機１に未確定で収納した紙幣について、管理者が目視可能に精査することで、損券紙幣など従来の装置では識別不能紙幣として扱えなかった紙幣を正常紙幣として扱えることになり、紙幣運用上での利便性を格段に向上させることができる。
【０１０２】
図１６は上位装置１５１に表示される精査表示画面の一例を示す表示図である。この上位装置１５１の表示部１５６には、各強制入金取引のステータス情報を表す表示領域１６１を有している。このうち、上部の１段目領域１６２には強制入金取引データを２件読取確認できたことを表わす取引管理情報「１」（要確認１）が表示されている。２段目領域１６３には枚数は確認できたが金種が未確認であることを表わす取引管理情報「２」（要確認２）が１件表示されている。３段目領域１６４には搬送異常等で枚数が未確認であることを表わす取引管理情報「３」（要確認３）が１件表示されている。
【０１０３】
図１７は上位装置１５１の表示部１５６に、電子データとして封入されている封筒内の具体的な情報を表わしている。管理者が取引データを表示するように管理者入力部１５７により入力指示すると、表示部１５６には、利用者から申請された金種情報と枚数情報１７１と強制入金時に取得した紙幣の表裏画像１７２が並べて表示される。さらに、このとき金種情報と枚数情報１７１と紙幣の表裏画像１７２とを比較し、申請額に誤りがなければ入金取引を完了させるために完了ボタン１７７を押す。この際、正常な紙幣であることが認められたので通常入金モードで入金確定したときとデータ上同じ扱いとする。１７３はスクロールバー、１７４は落書き、１７５は紙幣の破損部分を示している。
【０１０４】
なお、表示部１５６に取引データを表示させて比較した際に、管理者が見て例えば偽券と認められるような場合は入金取引を保留とするために管理者が保留ボタン１７６を押す。そして、管理者は必要に応じて強制入金庫３の現物紙幣を確認すればよい。この際、管理者が確認したい強制入金取引の紙幣を強制入金庫から効率よく抽出するためには、後述する紙幣仕分け機１８０を使用してもよい。
【０１０５】
図１８は紙幣仕分け機１８０の紙幣仕分け処理システムの概略構成を示す図であって、強制入金庫３が回収される場所に設置される。  
この紙幣仕分け機１８０は内部に紙幣Ｓを投入する入金口１８１、識別部１１、スタッカ１８２Ａ〜１８２Ｃ、振分ゲート１８３を内蔵し、紙幣仕分け機１８０は前記した上位装置１５１と接続されている。
【０１０６】
管理者は紙幣入金機１の強制入金庫３から紙幣Ｓを取り出し、入金口１８１へ投入すると、入金口１８１から繰出された紙幣は前記識別部１１と同機能を有する識別部１１へ搬送され、表裏画像が取得される。ここで取得された表裏画像と、強制入金時に取得した紙幣の表裏画像８２とを上位装置１５１経由で比較することにより、紙幣仕分け機１８０は管理者が確認必要とする強制入金取引時の紙幣のみを特定のスタッカ（例えば１８２Ｂ）に振り分ることが可能となる。なお、強制入金時に取得した紙幣の表裏画像８２は接続された上位装置１５１経由以外にも、強制入金庫３に内蔵されたメモリに記録させ、このメモリを紙幣仕分け機１８０が参照してもよい。
【０１０７】
以上の手順によると複数の強制入金取引紙幣が混在している強制入金庫内から前記図１７で保留指示された紙幣のみを容易に取り出すことができ、管理者の強制入金取引の精査手間を軽減させることが可能となる。
【０１０８】
また、上記実施形態では、この発明に関わる有価媒体処理装置を、紙幣を入金する紙幣入金機とした場合を例に挙げているが、この発明はこれに限定するものではなく、これ以外に硬貨を受け付けて入金する硬貨入金機や、紙幣あるいは硬貨の出金も同一装置で行う紙幣入出金機、硬貨入出金機であってもよい。さらには、紙幣ではなく商品券やクーポン券といった有価証券であってもよい。
【０１０９】
上述した紙幣入金機１は、最初通常入金モードで紙幣を受け付け、取引開始した時に読取不能な返却紙幣が生じた際に、再度通常入金モードにするか、強制入金モードに移行するかを選択させる入金モードを利用者により選択させるという方法で対処している。
【０１１０】
これに対し、最初から強制入金モードで紙幣を受け付けて入金処理を実行させるという運用プログラムを採用して構成することもできる。以下、その方法を後述する実施例２で説明する。
【実施例２】
【０１１１】
この実施例２は実施例１と比較して紙幣入金機１の構造は同じであり制御プログラムが一部異なるのみである。このため、異なる制御プログラムの部分について説明する。  
ここでの制御プログラムは、紙幣の受入処理時に、識別部１１の識別結果に基づいて受付許可された紙幣を前記確定入金庫４Ａ〜４Ｄに収納させる一方、受付拒否された紙幣を前記強制入金庫３に収納させるとともに、関連付けられた関連情報を前記ＲＡＭ２２に記憶させる機能を備えた構成である。
【０１１２】
このような構成としたことで、損券紙幣が入金された場合に、識別部１１が当該紙幣を異常紙幣であると誤識別した際でも、返却することなく該紙幣を装置内部に収納させることができる。これにより、取引される紙幣の損券度合いに関わらず受け付けた紙幣を全て装置内部に収納させる強制入金機として使用できる。したがって、利用者は返却紙幣を受け取らなくなり、１回の入金で全ての紙幣が確実に内部に取り込まれて入金取引が完了するため、手間が省けて極めて簡単な入金操作となる。
【０１１３】
図１９は強制入金モードでの入金処理手順を示したフローチャートであり、図２０は図１９に続く強制入金モードのフローチャートである。  
図１９において、利用者が通常入金ボタン５２を選択した後、入金口１０に紙幣Ｓを投入して開始／終了ボタン６２を押すと、主制御部２０は入金口紙幣検知センサ１７の検知出力により入金口１０に紙幣Ｓが有り、かつ紙幣Ｓの入金指示があったと判断し（ステップＳ７１：ＹＥＳ）、紙幣Ｓを繰出して識別部１１へ搬送する（ステップＳ７２）。識別部１１で真偽判定や金種判定等の複数の判定項目に基づいて紙幣Ｓが正常であるか異常であるかを識別する（ステップＳ７３）。
【０１１４】
合わせて、識別部１１はカメラ１５により紙幣Ｓの表裏画像を取得する（ステップＳ７４）。主制御部２０は識別部１１によって紙幣Ｓが正常と識別されたか否かを確認し（ステップＳ７５）、正常と識別されていると（ステップＳ７５：ＹＥＳ）、紙幣Ｓを識別部１１から指定されたいずれかの確定入金庫４Ａ〜４Ｄへ搬送する（ステップＳ７６）。
【０１１５】
搬送後は、入金口１０の紙幣Ｓが全てなくなったか否かを判定し（ステップＳ７７）、入金口１０に未だ紙幣Ｓがあれば（ステップＳ７７：ＮＯ）、ステップＳ７２へ移行して、入金口１０から紙幣Ｓを繰出して識別部１１へ搬送し、上述したように識別部１１で紙幣Ｓを識別する。
【０１１６】
一方、ステップＳ７５において、識別部１１によって紙幣Ｓが異常と識別されると（ステップＳ７５：ＮＯ）、紙幣Ｓを識別部１１から未確定のまま強制入金庫３へ搬送して強制入金する（ステップＳ７８）。
【０１１７】
強制入金された紙幣に対してはステップＳ７９において、主制御部２０は当該強制入金処理での枚数が全て識別されたか否かを判定する。枚数が確定しない場合は（ステップＳ７９：ＮＯ）、当該強制入金取引の取引管理情報２８を「３」（要確認３）と設定し（ステップＳ８３）、強制入金を終了する。利用者は上述したように返却紙幣詳細画面８１にて強制入金した紙幣の表裏画像８２と取引管理情報表示８４にて取引ステータスが「３」（要確認３）であることを確認することができる。
【０１１８】
一方、ステップＳ７９において、枚数が確定した場合（ステップＳ７９：ＹＥＳ）、次に当該強制入金取引内の全ての紙幣Ｓについて金種が識別されたか否かを判定する（ステップＳ８０）。全ての金種が確定しない場合（ステップＳ８０：ＮＯ）は当該強制入金取引の取引管理情報２８を「２」（要確認２）と設定し（ステップＳ８４）、強制入金を終了する。
【０１１９】
全ての金種が確定し（ステップＳ８０：ＹＥＳ）、識別された枚数情報と金種情報が利用者から入力された枚数情報と金種情報と一致するか否かを判定し（ステップＳ８１）、一致した場合（ステップＳ８１：ＹＥＳ）、当該強制入金取引の取引管理情報２８を「１」（要確認１）と設定し（ステップＳ８２）、逆に、一致しなかった場合（ステップＳ８１：ＮＯ）、当該強制入金取引の取引管理情報２８を「２」（要確認２）と設定し（ステップＳ８４）、それぞれ強制入金を終了する。
【０１２０】
以上の手順によると、流通過程で傷んだ紙幣であっても利用者は一旦装置内に全ての現金を収納させることができる。また、紙幣入金機１の管理者が強制入金庫３に収納された取引について画像データ上から各強制入金取引の有効性を精査する際には、取引管理情報２８を使用することで、取引管理情報２８が「２」「３」の取引についてのみ注意深く取引データを確認すればよくスムーズかつ効率的に精査を進めることができる。
【０１２１】
図２１は既述した紙幣入金機１とＰＯＳ（販売時点情報管理）システム２１１とを接続して構成した利用者の入金利用能率の向上を図った一例を示している。  
この紙幣入金機１をＰＯＳシステム２１１に接続して構成した場合、利用者のＰＯＳ端末２１２より事前に入力してデータ収集させた入金データはＰＯＳ通信網２１３を介してＰＯＳサーバ２１４で管理される。このＰＯＳサーバ２１４と紙幣入金機１とを通信回線で接続することにより、利用者のＰＯＳ端末２１２と紙幣入金機１とを連動させることができ、紙幣入金機１での売上金の入金操作前に利用者のＩＤカードに基づいて枚数情報と金種情報とをオンラインで能率よく取得させることが可能になる。
【０１２２】
これにより、紙幣入金機１での入金操作時に利用者が入金する紙幣束の金種と枚数を利用者が把握しておき、かつ入金時点で入力操作するような入力操作の手間を省略することができ、能率のよい入金利用を図ることができる。
【０１２３】
この発明は上述の実施例の構成に限らず、様々な構成の実施態様を得ることができる。例えば、上述の実施例の一例では紙幣入金機１と上位装置１５１とを接続した組み合わせ例を示したが、これに限らず紙幣入金機１自体に管理機能を持たせて単独で使用してもよく、また管理機能を持たせた紙幣入金機１にさらに上位装置１５１を接続して精査利用する場所を選択できるように構成することもできる。
【産業上の利用可能性】
【０１２４】
売上金入金機などの紙幣、硬貨、有価証券等の有価媒体を取引させる装置の全般に適用することができる。
【符号の説明】
【０１２５】
１…紙幣入金機
２…紙幣処理部
３…強制入金庫
４Ａ〜４Ｄ…確定入金庫
１０…入金口
１１…識別部
１５…カメラ
２０…主制御部
２２…ＲＡＭ
２３…カード読取部
２４…表示操作部
５１…選択入力画面
６３…表示入力領域
１５１…上位装置
【図１】
0005539112.tif 000002
【図２】
0005539112.tif 000003
【図３】
0005539112.tif 000004
【図４】
0005539112.tif 000005
【図５】
0005539112.tif 000006
【図６】
0005539112.tif 000007
【図９】
0005539112.tif 000008
【図１０】
0005539112.tif 000009
【図１１】
0005539112.tif 000010
【図１２】
0005539112.tif 000011
【図１３】
0005539112.tif 000012
【図１５】
0005539112.tif 000013
【図１６】
0005539112.tif 000014
【図１８】
0005539112.tif 000015
【図１９】
0005539112.tif 000016
【図２０】
0005539112.tif 000017
【図２１】
0005539112.tif 000018
【図７】
0005539112.tif 000019
【図８】
0005539112.tif 000020
【図１４】
0005539112.tif 000021
【図１７】
0005539112.tif 000022